(57)【要約】  セルラー通信ネットワークのセルＡからセルＢへのユーザ装置の第１のハンドオーバが正常に完了した（Ｓ２１）直後に、セルラー通信ネットワークのセルＢからセルＣへのユーザ装置の第２のハンドオーバを正常に完了させる（Ｓ２３）。この第２のハンドオーバは、第１のハンドオーバの正常な完了時点から構成可能な時間内にセルＢからセルＣへのユーザ装置の第２のハンドオーバが開始されたことの検出（Ｓ２２）に基づいて、セルＢ及び／又はセルＣにおける高速ハンドオーバであると判断され、この高速ハンドオーバがセルＡにレポートされる（Ｓ２４）。【選択図】      図２
2014525215.tif 000002
【特許請求の範囲】
【請求項１】
セルラー通信ネットワークの第１のセルから第２のセルへのユーザ装置の第１のハンドオーバが正常に完了した直後に、前記セルラー通信ネットワークの前記第２のセルから第３のセルへのユーザ装置の第２のハンドオーバを正常に完了させるステップと、
前記第１のハンドオーバの正常な完了時点から構成可能な時間内に前記第２のセルから前記第３のセルへの前記ユーザ装置の第２のハンドオーバが開始されたことの検出に基づいて、前記第２のハンドオーバが、前記第２のセル及び／又は前記第３のセルにおける高速ハンドオーバであると判断するステップと、
前記高速ハンドオーバを前記第１のセルにレポートするステップと、
を含むことを特徴とする方法。
【請求項２】
前記第２のセルは、前記高速ハンドオーバを検出して、前記第１のセルと前記第２のセルの間のインターフェイスを使用することにより前記高速ハンドオーバを前記第１のセルにレポートし、或いは前記第３のセルが、前記第１のセルと前記第３のセルの間のインターフェイスを使用することにより前記高速ハンドオーバを前記第１のセルにレポートする、
ことを特徴とする請求項１に記載の方法。
【請求項３】
前記インターフェイスは、Ｘ２インターフェイス及びＳ１インターフェイスの少なくとも一方を含む、
ことを特徴とする請求項２に記載の方法。
【請求項４】
前記レポートするステップは、
前記高速ハンドオーバを前記第１のセルにレポートするために導入するメッセージを準備するステップ、及び／又は、
前記高速ハンドオーバを前記第１のセルにレポートするための特定のハンドオーバレポートメッセージを準備するステップ、
を含むことを特徴とする請求項１から３のいずれかに記載の方法。
【請求項５】
前記特定のハンドオーバレポートメッセージを準備するステップは、前記特定のハンドオーバレポートメッセージに導入するハンドオーバレポートタイプを、前記高速ハンドオーバを識別するように設定するステップを含む、
ことを特徴とする請求項４に記載の方法。
【請求項６】
前記特定のハンドオーバレポートを準備するステップは、前記高速ハンドオーバを前記第１のセルにレポートするために使用する前記特定のハンドオーバレポートメッセージ内の、障害セル及び再設定セルを識別する名称変更された特定の情報要素において、該特定の情報要素を、前記第２のセルを前記障害セルとして、及び前記第３のセルを前記再設定セルとして識別するように設定するステップを含む、
ことを特徴とする請求項４及び５に記載の方法。
【請求項７】
前記特定のハンドオーバレポートを準備するステップは、前記高速ハンドオーバを前記第１のセルにレポートするために使用する前記特定のハンドオーバレポートメッセージ内の、障害セル及び再設定セルを識別する、意味的記述を拡張した特定の情報要素において、該特定の情報要素を、前記第２のセルを前記障害セルとして、及び前記第３のセルを前記再設定セルとして識別するように設定するステップを含む、
ことを特徴とする請求項４及び５に記載の方法。
【請求項８】
前記特定のハンドオーバレポートメッセージを準備するステップは、前記特定のハンドオーバレポートメッセージに導入する情報要素を、前記第２のセル及び前記第３のセルを識別するように設定するステップを含む、
ことを特徴とする請求項４及び５に記載の方法。
【請求項９】
前記第２のセルから前記第３のセルに発行される前記第２のハンドオーバのためのハンドオーバ要求に導入する情報要素を、前記第２のセルにより検出された高速ハンドオーバを示すように設定するステップ、又は、
前記第２のセルにより検出された高速ハンドオーバを前記第３のセルに通知するために導入するメッセージを準備し、該メッセージを前記第３のセルに送信するステップ、
を含むことを特徴とする請求項１から８のいずれかに記載の方法。
【請求項１０】
前記情報要素は、前記高速ハンドオーバが前記第１のセルにレポートされたかどうかを示す情報を含み、或いは前記メッセージが、前記高速ハンドオーバが前記第１のセルにレポートされたどうかをさらに示す、
ことを特徴とする請求項９に記載の方法。
【請求項１１】
前記高速ハンドオーバの検出及びレポートを示す前記情報要素は、前記ユーザ装置の履歴情報の一部である、
ことを特徴とする請求項９及び１０に記載の方法。
【請求項１２】
前記情報又は前記メッセージが、前記高速ハンドオーバが前記第１のセルにレポートされていない旨を示す場合、前記第３のセルが、前記高速ハンドオーバを前記第１のセルにレポートする、
ことを特徴とする請求項１０に記載の方法。
【請求項１３】
セルラー通信ネットワークの第１のセルから第２のセルへのユーザ装置の第１のハンドオーバが正常に完了した直後に、前記セルラー通信ネットワークの前記第２のセルから第３のセルへの前記ユーザ装置の高速ハンドオーバを識別するメッセージを前記第１のセルにおいて受け取るステップと、
高速ハンドオーバを分析するように設定された主要性能インジケータに関連する性能管理カウンタを増分するステップと、
を含むことを特徴とする方法。
【請求項１４】
処理装置のためのプログラムを含むコンピュータプログラム製品であって、前記プログラムは、前記処理装置上で実行された時に請求項１から１３のいずれか１項に記載のステップを実行するためのソフトウェアコード部分を含む、
ことを特徴とするコンピュータプログラム製品。
【請求項１５】
前記コンピュータプログラム製品は、前記ソフトウェアコード部分を記憶したコンピュータ可読媒体を含む、
ことを特徴とする請求項１４に記載のコンピュータプログラム製品。
【請求項１６】
前記プログラムは、前記処理装置の内部メモリに直接ロード可能である、
ことを特徴とする請求項１４に記載のコンピュータプログラム製品。
【請求項１７】
セルラー通信ネットワークの第１のセルから第２のセルへのユーザ装置の第１のハンドオーバが正常に完了した直後に、前記セルラー通信ネットワークの前記第２のセルから第３のセルへの前記ユーザ装置の第２のハンドオーバを正常に完了させ、
前記第１のハンドオーバの正常な完了時点から構成可能な時間内に前記第２のセルから前記第３のセルへの前記ユーザ装置の第２のハンドオーバが開始されたことの検出に基づいて、前記第２のハンドオーバが、前記第２のセル及び／又は前記第３のセルにおける高速ハンドオーバであると判断し、
前記高速ハンドオーバを前記第１のセルにレポートする、
ように構成されることを特徴とする制御装置。
【請求項１８】
前記第２のセルにおける前記高速ハンドオーバを検出し、前記第１のセルと前記第２のセルの間のインターフェイスを使用することにより前記高速ハンドオーバを前記第１のセルにレポートするように構成される、
ことを特徴とする請求項１７に記載の制御装置。
【請求項１９】
前記第３のセルにおける前記高速ハンドオーバを判断し、前記第１のセルと前記第３のセルの間のインターフェイスを使用することにより前記高速ハンドオーバを前記第１のセルにレポートするように構成される、
ことを特徴とする請求項１７に記載の制御装置。
【請求項２０】
前記インターフェイスは、Ｘ２インターフェイス及びＳ１インターフェイスの少なくとも一方を含む、
ことを特徴とする請求項１８又は１９に記載の制御装置。
【請求項２１】
前記制御装置は、前記高速ハンドオーバメッセージをレポートするために、
前記高速ハンドオーバを前記第１のセルにレポートするために導入するメッセージを準備し、及び／又は、
前記高速ハンドオーバを前記第１のセルにレポートするための特定のハンドオーバレポートメッセージを準備する、
ように構成されることを特徴とする請求項１７から２０のいずれかに記載の制御装置。
【請求項２２】
前記制御装置は、前記特定のハンドオーバレポートメッセージを準備するために、前記特定のハンドオーバレポートメッセージに導入するハンドオーバレポートタイプを、前記高速ハンドオーバを識別するように設定するよう構成される、
ことを特徴とする請求項２１に記載の制御装置。
【請求項２３】
前記制御装置は、前記特定のハンドオーバレポートメッセージを準備するために、前記高速ハンドオーバを前記第１のセルにレポートするために使用する前記特定のハンドオーバレポートメッセージ内の、障害セル及び再設定セルを識別する名称変更された特定の情報要素において、該特定の情報要素を、前記第２のセルを前記障害セルとして、及び前記第３のセルを前記再設定セルとして識別するように設定するよう構成される、
ことを特徴とする請求項２１及び２２に記載の制御装置。
【請求項２４】
前記制御装置は、前記特定のハンドオーバレポートメッセージを準備するために、前記高速ハンドオーバを前記第１のセルにレポートするために使用する前記特定のハンドオーバレポートメッセージ内の、障害セル及び再設定セルを識別する、意味的記述を拡張した特定の情報要素において、該特定の情報要素を、前記第２のセルを前記障害セルとして、及び前記第３のセルを前記再設定セルとして識別するように設定するよう構成される、
ことを特徴とする請求項２１及び２２に記載の制御装置。
【請求項２５】
前記制御装置は、前記特定のハンドオーバレポートメッセージを準備するために、前記特定のハンドオーバレポートメッセージに導入する情報要素を、前記第２のセル及び前記第３のセルを識別するように設定するよう構成される、
ことを特徴とする請求項２１及び２２に記載の制御装置。
【請求項２６】
前記第２のセルから前記第３のセルに発行される前記第２のハンドオーバのためのハンドオーバ要求に導入する情報要素を、前記第２のセルにより検出された高速ハンドオーバを示すように設定し、又は、
前記第２のセルにより検出された高速ハンドオーバを前記第３のセルに通知するために導入するメッセージを準備し、該メッセージを前記第３のセルに送信する、
ように構成されることを特徴とする請求項１７、１８及び２０から２５のいずれかに記載の制御装置。
【請求項２７】
前記高速ハンドオーバが前記第１のセルにレポートされたかどうかを示す情報を前記情報要素内に設定するように、或いは前記高速ハンドオーバが前記第１のセルにレポートされたかどうかを前記メッセージで示すように構成される、
ことを特徴とする請求項２６に記載の制御装置。
【請求項２８】
前記第２のセルから前記第３のセルに発行される前記第２のハンドオーバのためのハンドオーバ要求に導入された、前記第２のセルにより検出された高速ハンドオーバを示すように前記ハンドオーバ要求内に設定されている情報要素から前記高速ハンドオーバを判断し、又は、
前記第２のセルにより検出された前記高速ハンドオーバを前記第３のセルに通知するために導入され前記第２のセルから受け取られた準備されたメッセージから前記高速ハンドオーバを判断する、
ように構成されることを特徴とする請求項１９に記載の制御装置。
【請求項２９】
前記情報要素内に設定された、前記高速ハンドオーバが前記第１のセルにレポートされたかどうかを示す情報から、又は前記準備されたメッセージから、前記高速ハンドオーバが前記第１のセルにレポートされたかどうかを判断し、
前記情報又は前記準備されたメッセージが、前記高速ハンドオーバが前記第１のセルにレポートされていない旨を示す場合、前記高速ハンドオーバを前記第１のセルにレポートする、
ように構成されることを特徴とする請求項２８に記載の制御装置。
【請求項３０】
前記高速ハンドオーバの検出及びレポートを示す前記情報要素は、前記ユーザ装置の履歴情報の一部である、
ことを特徴とする請求項２６から２９のいずれか１項に記載の制御装置。
【請求項３１】
セルラー通信ネットワークの第１のセルから第２のセルへのユーザ装置の第１のハンドオーバが正常に完了した直後に、前記セルラー通信ネットワークの前記第２のセルから第３のセルへの前記ユーザ装置の高速ハンドオーバを識別するメッセージを前記第１のセルにおいて受け取り、
高速ハンドオーバを分析するように設定された主要性能インジケータに関連する性能管理カウンタを増分する、
ように構成されることを特徴とする制御装置。
【発明の詳細な説明】
【技術分野】
【０００１】
本発明は、自己最適化ネットワークに焦点を絞った移動無線通信に関し、より具体的にはモビリティロバスト性最適化に関する。特に、本発明は、ＵＥがセルＡからセルＢにハンドオーバされ、直後にセルＢが同じユーザを別のセルＣにハンドオーバする、「高速」ハンドオーバと呼ばれることもあるいわゆるショートステイに関連する。
【背景技術】
【０００２】
本技術分野に関連する先行技術は、例えば以下に見出すことができる。
［１］３ＧＰＰ  ＴＳ３６．３００：「進化型ユニバーサル地上波無線アクセス（Ｅ−ＵＴＲＡ）及び進化型ユニバーサル地上波無線アクセスネットワーク（Ｅ−ＵＴＲＡＮ）（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）  ａｎｄ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ  （Ｅ−ＵＴＲＡＮ））、包括的説明」、段階２、
［２］３ＧＰＰ  ＴＲ３６．９０２：「進化型ユニバーサル地上波無線アクセスネットワーク（Ｅ−ＵＴＲＡＮ）、自己構成及び自己最適化ネットワーク（ＳＯＮ）の使用事例及び解決策（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ  （Ｅ−  ＵＴＲＡＮ）；  Ｓｅｌｆ−ｃｏｎｆｉｇｕｒｉｎｇ  ａｎｄ  ｓｅｌｆ−ｏｐｔｉｍｉｚｉｎｇ  ｎｅｔｗｏｒｋ  （ＳＯＮ）  ｕｓｅ  ｃａｓｅｓ  ａｎｄ  ｓｏｌｕｔｉｏｎｓ）」、技術レポート、
［３］Ａ．Ｃａｔｏｖｉｃ他、「ハンドオーバ障害メッセージングスキーム（Ｈａｎｄｏｖｅｒ  ｆａｉｌｕｒｅ  ｍｅｓｓａｇｉｎｇ  ｓｃｈｅｍｅｓ）」、米国特許出願公開第２０１０／０１７３６３３号、
［４］Ａ．Ｃａｔｏｖｉｃ他、「ハンドオーバパラメータの適合（Ａｄａｐｔａｔｉｏｎ  ｏｆ  ｈａｎｄｏｖｅｒ  ｐａｒａｍｅｔｅｒｓ）」、米国特許出願公開第２０１０／０１７３６２６号、及び、
［５］３ＧＰＰ  ＴＳ３６．４２３：「進化型ユニバーサル地上波無線アクセスネットワーク（Ｅ−ＵＴＲＡＮ）、Ｘ２アプリケーションプロトコル（Ｘ２ＡＰ）（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ  （Ｅ−  ＵＴＲＡＮ）；  Ｘ２  ａｐｐｌｉｃａｔｉｏｎ  ｐｒｏｔｏｃｏｌ  （Ｘ２ＡＰ））」、技術仕様書。
【０００３】
本明細書で使用する略語には、次の意味を適用する。
３ＧＰＰ  第３世代パートナーシッププロジェクト
ＳＯＮ  自己最適化ネットワーク
ＭＲＯ  モビリティロバスト性最適化
ＲＬＦ  無線リンク障害
ＨＯ  ハンドオーバ
ＨＯＦ  ハンドオーバ障害
ＲＣＡ  根本的原因分析
ＫＰＩ  主要性能インジケータ
ＲＡＴ  無線アクセス技術
ＵＥ  ユーザ装置
ＯＡＭ  運用、管理及び保守
ＥＣＧＩ  Ｅ−ＵＴＲＡＮセルグローバル識別符号
Ｅ−ＵＴＲＡＮ  進化型ＵＭＴＳ地上波無線アクセスネットワーク
ＵＭＴＳ  ユニバーサル移動体通信システム
ＰＭ  性能管理
ＮＢ  ノードＢ
ｅＮＢ  進化型ノードＢ
ＩＥ  情報要素
Ｃ−ＲＮＴＩ  セル無線ネットワーク一時識別情報
ＥＮＵＭ  列挙
ＬＴＥ  ロングタームエボリューション
ＲＡＮ  無線アクセスネットワーク
ＲＩＭ  ＲＡＮ情報管理
ＲＮＣ  無線ネットワークコントローラ
ＢＳＣ  基地局コントローラ
【０００４】
従来、２Ｇ又は３Ｇネットワークにおけるネットワーク構成パラメータの最適化は、労働及びコスト集約的なドライブテストに基づく。最初の展開ではネットワーク規模のデフォルト構成パラメータが使用され、性能管理カウンタが特定のサービスエリアにおけるＲＬＦ、さらにはコールドロップを蓄積している場合、ドライブテストによる複数の最適化ループを開始してセル固有の方法でパラメータの適合が行われる。
【０００５】
ＭＲＯの目的は、ハンドオーバをトリガするネットワーク構成パラメータの最適化を自動化し、イベント閾値、タイマなどを含むことにより、最初の及び最大の無線リンク障害及びハンドオーバ障害が低減され、次にピンポン又はショートステイなどの不要なハンドオーバも防がれるようにすることである。ＭＲＯ手順は、以下の２つの段階から成る。
・  モビリティ問題を分析するために必要な全ての情報を結集して対応するセル又はセルペア固有のＫＰＩ統計値を生成する根本的原因分析段階、及び、
・  ＫＰＩ統計値に基づいて対応する解決策を決定し、ＨＯをトリガする測定パラメータを調整する修正段階。
【０００６】
ＵＥからのＲＬＦレポート、並びにＲＬＦの指示及びハンドオーバレポートメッセージなどのｅＮＢ間の情報交換のような、ＲＬＦに影響されるモビリティ問題の根本的原因分析方法が提供される。しかしながら、ピンポン又はショートステイなどの不要なハンドオーバではＲＬＦが存在しないので、これらの方法を適用することはできない。エンドユーザが深刻なサービス品質の劣化を被ることはないが、不要なハンドオーバはネットワークシグナリングの負荷を高めるので避けるべきである。
【０００７】
ピンポンハンドオーバは、ＵＥがセルＡからセルＢにハンドオーバされ、直後にセルＢが同じユーザを再びセルＡにハンドオーバすることを意味する。ピンポンは、第２の「高速」ハンドオーバがセルＡに戻る、ショートステイ問題の特別な事例である。セルＡは、ＨＯ準備メッセージと共に提供されるＵＥ履歴情報をチェックすることにより、この「ピンポン」問題を認識することができる。セルＡは、最初の不要なハンドオーバを開始したセルであり、ノード間における追加情報の交換を伴わずに対応するＫＰＩカウンタを管理して増分することができるので、この問題に対して責任がある。しかしながら、ＵＥがセルＢに接続された直後に第３のセルＣにさらにハンドオーバされるショートステイの場合、この「有罪」なセルＡは、この「ショートステイ」問題を、ピンポンの場合のように自動的に認識することはない。
【先行技術文献】
【特許文献】
【０００８】
【特許文献１】米国特許出願公開第２０１０／０１７３６３３号明細書
【特許文献２】米国特許出願公開第２０１０／０１７３６２６号明細書
【非特許文献】
【０００９】
【非特許文献１】３ＧＰＰ  ＴＳ３６．３００
【非特許文献２】３ＧＰＰ  ＴＲ３６．９０２
【非特許文献３】３ＧＰＰ  ＴＳ３６．４２３
【発明の概要】
【発明が解決しようとする課題】
【００１０】
問題は、根本的原因分析の観点から、「ショートステイ」問題の情報を責任あるセルに提供するＭＲＯ機構が存在せず、すなわち対応する性能カウンタ又はＫＰＩを管理すべき責任あるセルを解明して通知する手段が存在しないことである。
【００１１】
さらに、セルがショートステイのタイミング基準を個別に有する場合に、特別な事例としてピンポンを含むショートステイを検出するための適切な特定のＭＲＯ方法、すなわちセルＡ及びセルＢのショートステイを判断する異なる閾値も存在しない。
【００１２】
上述したように、これまでは、ＭＲＯの観点からＲＬＦによるモビリティ問題のみが考慮されてきた。ＵＥは、「有罪」なセル、すなわちこの問題に責任があり、対応するＫＰＩをカウントすべきセルに戻るので、基本的には、情報交換を伴わずにピンポンを検出することができる。先行技術文献［１］〜［４］には、ピンポンを含むモビリティ問題を検出するために適用される、共通のネットワーク規模のタイミング基準を想定した方法及びメッセージングが記載されている。しかしながら、これまでショートステイの検出は考慮されておらず、責任あるセルにおける対応する問題の検出を管理するための適当な機構も存在しない。
【００１３】
本発明の目的は、上記の問題を克服することである。
【課題を解決するための手段】
【００１４】
この目的は、添付の特許請求の範囲に定義される方法及び装置により達成される。本発明は、コンピュータプログラム製品により実現することもできる。
【００１５】
本発明の態様では、特別な事例としてピンポンを含むショートステイ問題の一意的な検出、及び責任あるセル（上記の例ではセルＡ）の通知を可能にする方法を導入する。例えば、問題を検出したセルが、この問題に対して責任のあるセルを解明し、ショートステイ問題の場合には、この責任あるセルに、「ショートステイ」又は「高速ハンドオーバ」の問題事例をレポートする対応する情報要素を含む情報メッセージを送信する。２つのセルが異なるｅＮＢに属する場合、ノード間情報交換を実行する。このメッセージは、関与するセル、すなわち最初のＨＯの実行先であるターゲットセル（セルＢ）、及びその後の後続する「高速」の実行先であるセル（セルＣ）の両方に関する情報を含むこともできる。
【００１６】
責任あるセル、すなわち最初のハンドオーバを開始したセルには、ショートステイ又は高速ハンドオーバに関する通知が行われ、このセルは、将来的なハンドオーバがセルＢにおけるショートステイを伴わずに直接セルＣに行われるようにそのモビリティ関連パラメータを適合させることにより、モビリティをよりロバストにすることができる。
【００１７】
さらに、ショートステイタイミング基準などのＭＲＯ閾値をセルが個別に有する場合にも、本発明を用いてピンポン問題を改善することができる。
【００１８】
説明及び添付図面を参照することにより、本発明の上記の及びさらなる目的、特徴及び利点がより明らかになるであろう。
【図面の簡単な説明】
【００１９】
【図１】本発明の実施形態による、制御装置の構成を示す概略ブロック図である。
【図２】本発明の第１の実装例を示す実施形態による、ショートステイ／高速ハンドオーバを検出してレポートする手順を示すシグナリング図である。
【図３】本発明の第２の実装例を示す実施形態による、ショートステイ／高速ハンドオーバを検出してレポートする手順を示すシグナリング図である。
【発明を実施するための形態】
【００２０】
以下、図面を参照しながら本発明の実施例及び実施形態について説明する。
【００２１】
様々な実装の詳細を検討する前の予備事項として、本発明の例示的な実施形態の実施において使用するのに適した様々な電子装置の簡略ブロック図を示す図１を参照する。
【００２２】
制御装置１０、２０、３０は、Ｅ−ＵＴＲＡＮのｅＮＢ、又は２Ｇ又は３Ｇセルラー通信ネットワークにおける無線アクセスネットワークのＲＮＣ又はＢＳＣとしての制御ノードなどの基地局をそれぞれ含むことができ、これらの各制御装置は、処理リソース１１、２１、３１と、プログラムを記憶できるメモリリソース１２、２２、３２と、１又はそれ以上の無線リンクを介した双方向無線通信のためにそれぞれが１又はそれ以上のアンテナ（図示せず）に結合された好適な無線周波数送受信機を含むことができるインターフェイス１３、２３、３３とを含む。さらに、インターフェイス１３、２３、３３は、有線リンクのために設けることもできる。図１に示すように、それぞれの制御装置１０、２０、３０の処理リソース、メモリリソース及びインターフェイスは、リンク１４、２４、３４によって結合される。
【００２３】
制御装置１０及び２０はリンク４１によって結合され、制御装置２０及び３０はリンク４２によって結合され、制御装置３０及び１０はリンク４３によって結合される。インターフェイス１３、２３、３３及びリンク４１、４２、４３は、Ｘ２インターフェイス及びＳ１インターフェイスの少なくとも一方を含むことができ、ＲＩＭに基づくＲＡＴ間通信のためにＳ１インターフェイスを使用する。
【００２４】
制御装置１０は、セルラー通信ネットワークのセルＡ（第１のセル）の制御装置と考えられ、制御装置２０及び３０は、それぞれセルラー通信ネットワークのセルＢ（第２のセル）及びセルＣ（第３のセル）の制御装置と考えられる。
【００２５】
なお、「接続された（ｃｏｎｎｅｃｔｅｄ）」、「結合された（ｃｏｕｐｌｅｄ）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。本明細書で使用する場合、２つの要素は、１又はそれ以上の電線、ケーブル及びプリント電気接続を使用することにより、並びに非限定的な例として、無線周波数領域、マイクロ波領域及び光（可視及び不可視の両方）領域の波長を有する電磁エネルギーなどの電磁エネルギーを使用することにより、互いに「接続」又は「結合」されると考えることができる。
【００２６】
メモリリソース１２、２２、３２の少なくとも１つは、関連する処理リソース１１、２１、３１による実行時に制御装置が以下で詳述するような本発明の例示的な実施形態に従って動作できるようにするプログラム命令を含むプログラムを記憶すると考えられる。スケジューリング許可及び許可されたリソース／サブフレームは時間に依存するので、処理リソースには、適当な時間間隔及び必要なスロット内で送受信が行われるように様々な装置間の同期を可能にするためのクロックが備わる。
【００２７】
一般に、本発明の例示的な実施形態は、メモリリソース１２、２２、３２に記憶されて、対応する処理リソース１１、２１、３１により、又はハードウェアにより、或いは図示の装置の一部又は全部におけるソフトウェア及び／又はファームウェアとハードウェアとの組み合わせによって実行可能なコンピュータソフトウェアにより実現することができる。
【００２８】
メモリリソースは、ローカル技術環境に適したあらゆるタイプを含むことができ、半導体ベースの記憶装置、磁気記憶装置及びシステム、光記憶装置及びシステム、固定メモリ及び取り外し可能メモリなどのあらゆる好適なデータ記憶技術を使用して実装することができる。処理リソースは、ローカル技術環境に適したあらゆるタイプを含むことができ、非限定的な例として、汎用コンピュータ、専用コンピュータ、マイクロプロセッサ、デジタルシグナルプロセッサ（ＤＳＰ）、及びマルチコアプロセッサアーキテクチャに基づくプロセッサのうちの１又はそれ以上を含むことができる。
【００２９】
上述したように、本発明は、ＵＥがセルラー通信ネットワークのセルＡからセルＢにハンドオーバされ、直後にセルＢが同じユーザをセルラー通信ネットワークの別のセルＣにハンドオーバする、「高速」ハンドオーバと呼ばれることもあるいわゆるショートステイの根本的原因分析に対応するものである。場合によっては、セルＡからセルＣへの直接ハンドオーバにより、これらの２つのハンドオーバの一方を省くことができる。
【００３０】
図２は、本発明の第１の実装例を示す実施形態による、ショートステイ／高速ハンドオーバを検出してレポートする手順を示すシグナリング図である。この第１の実装例では、セルＢがセルＡに高速ハンドオーバを通知する。
【００３１】
ステップＳ２１において、ＵＥのセルＡからセルＢへの第１のハンドオーバが正常に完了する。ステップ２２において、セルＢは、ＵＥがセルＡから到着した直後に新たなターゲットセルＣにハンドオーバされたこと（ステップＳ２３）を検出する。換言すれば、ステップＳ２２では、制御装置２０を含むｅＮＢなどのセルＢがショートステイ（高速ハンドオーバ）を検出する。この検出は、セルＡからの第１のハンドオーバの完了からセルＣに向かう第２のハンドオーバの開始までの期間を追跡して調査することにより、ｅＮＢ内部で解決することができる。この期間を、オペレータが構成できる、特定のセル固有のＭＲＯに関する閾値ＴＨＲＥＳ＿ＳＨＯＲＴ＿ＳＴＡＹと比較することができる。
【００３２】
換言すれば、ステップＳ２２では、セルＢにおいて、第１のハンドオーバが正常に完了した時点から非常に短い時間内にセルＢからセルＣへのＵＥの第２のハンドオーバが開始されたこと、すなわちセルＢにおける滞在が、対応する構成可能なＭＲＯ閾値よりも短いことを検出することにより、第２のハンドオーバが高速ハンドオーバであると判断される。この検出及び判断は、制御装置２０の処理リソース２１及びメモリリソース２２によって行うことができる。ステップＳ２４において、例えば図１に示すインターフェイス１３、２３及びリンク４１を使用することにより、この高速ハンドオーバがセルＢからセルＡにレポートされる。ステップＳ２５において、セルＡが、このショートステイ／高速ハンドオーバ問題を認識し、モビリティロバスト性最適化のために設定された主要性能インジケータに関連する性能管理カウンタを増分することができる。この識別及び増分は、制御装置１０の処理リソース１１及びメモリリソース１２によって行うことができる。
【００３３】
セルＢとセルＡの間の通信は、Ｘ２インターフェイスを使用して行うことができる。
【００３４】
第１の実装例の利点は以下の通りである。
−  上述した時間測定をセルＢがかなり正確に実行できる点、
−  ＬＴＥ内モビリティの場合、セルＡとセルＢの間にはＸ２インターフェイスが存在するのに対し、セルＣがセルＡの直近のセルである必要はなく、従ってＸ２が保証されない点、及び、
−  この影響を受けるセル内のショートステイ／高速ハンドオーバ検出、及びそのセルにおける問題についての、他のセルが読むことができる（ＵＥ履歴情報などにおける）注釈により、ショートステイ問題がセルＢにより既に検出されてレポートされた旨をセルＣに通知することなどによって、別のセルがこの問題を再びレポートすることが防がれ、ＵＥがセルＣにおいて第２のショートステイを受けた場合、セルＣがこの第２のショートステイを上述したように検出してレポートできる点。
【００３５】
セルＣは、セルＢからセルＣに送信される、第２のハンドオーバを開始するためのハンドオーバ要求メッセージに含まれているＵＥ履歴情報を検索することにより、ショートステイを検出することができる。セルＢ及びＣの両方によるショートステイの二重レポート送信を防ぐために、セルＢにおけるショートステイを示し、この「ショートステイ」がセルＡにレポートされた旨の情報をＵＥ履歴情報に含めることができる。例えば、ステップＳ２３に示すＵＥ履歴情報、又はステップＳ２６に示す新たなＸ２メッセージに加え、この情報を別個の新たな情報要素によってセルＣに提供するための複数の選択肢が存在する。ステップＳ２３及びＳ２６におけるメッセージは、Ｘ２インターフェイスを含むことができるインターフェイス２３及び３３、及びリンク４２を使用して送信することができる。上記の情報は、ＵＥ履歴情報内に設定することも、或いは制御装置２０のメモリリソース２２を使用して、処理リソース２１によって新たなＸ２メッセージを生成することもできる。
【００３６】
ＵＥ履歴情報は最後に訪問したセルのリストを含み、リストの最上部に存在する最後に訪問したセルは、このＵＥ履歴情報を含む特定のハンドオーバ要求メッセージを送出している現在のセルである。例えば、ＵＥ履歴情報の「最後に訪問したセル情報」に、例えば「ショートステイ検出」と呼ばれる以下の第４の追加情報要素を追加することができる。
・  グローバルセルＩＤ
・  セルタイプ
・  セルにおけるＵＥの滞在時間
・  ショートステイ検出（新）（条件付き）
この「ショートステイ検出」という新たなＩＥは、例えば以下のようなさらなる情報を含むことができる。
・  到来元セルＩＤ（ＥＣＧＩ）（任意）
・  ショートステイセルＩＤ（ＥＣＧＩ）（任意）
・  転送先セルＩＤ（ＥＣＧＩ）（任意）
・  ｛レポート済み；レポートなし｝（ＥＮＵＭ）（必須）
・  ＵＥが「ショートステイセルＩＤ」により識別されるセルによるサービスを受けた際にＵＥに使用した識別符号（Ｃ−ＲＮＴＩなど）、（任意）
・  ＵＥが「到来元セルＩＤ」により識別されるセルによるサービスを受けた際にＵＥに使用した識別符号（Ｃ−ＲＮＴＩなど）、（任意）
・  ＨＯ条件（任意）
○  「ショートステイセルＩＤ」により識別されるセルにＵＥが到着した際のＵＥの測定結果（利用可能であれば位置情報を含む）
・  そのセルの測定結果
・  近傍セルの測定結果
【００３７】
セルＢが検出したショートステイ／高速ハンドオーバをセルＡにレポートする第１の実装例の場合、ステップＳ２３に概略的に示すように、セルＢからセルＣに送信される、第２のハンドオーバを開始するための特定のハンドオーバ要求メッセージの一部であるＵＥ履歴情報内に「レポート済み」というフラグが設定される。セルＣは、この特定のハンドオーバ要求メッセージで受け取った情報に基づいて、又はステップＳ２６に示す新たなＸ２メッセージに含まれている同様の情報に基づいて、ステップＳ２７において、セルＢにおけるＵＥのショートステイがレポート済みであることを認識する。この検出は、制御装置３０の処理リソース３１及びメモリリソース３２によって行うことができる。
【００３８】
ステップＳ２４におけるセルＢによるショートステイ／高速ハンドオーバのレポート送信は、以下のように行うことができる。
【００３９】
セルＢ、すなわちＵＥをハンドオーバする前の非常に短い時間にわたってＵＥにサービスを提供するセルは、特定のハンドオーバレポートメッセージ又は別の新たな特定のメッセージをセルＡに送信する。文献［５］に記載される特定のハンドオーバ要求メッセージを使用する場合、このメッセージを、「早すぎるＨＯ」、「誤ったセルへのＨＯ」という既存のタイプに加え、「ショートステイ」又は「高速ハンドオーバ」というタイプで拡張する。さらに、現在の定義は、接続障害を伴うイベントに基づくものであるため、「障害セルＥＣＧＩ」、「再設定セルＥＣＧＩ」という現在のフィールドを適切に再解釈する必要がある。例えば、「ソースセルＥＣＧＩ」が、ハンドオーバレポートのアドレス指定先である実際の問題を抱えたセル（到来元セルＩＤ）となり、「障害セルＥＣＧＩ」が、滞留時間の短いセル（ショートステイセルＩＤ）となり、「再設定セルＥＣＧＩ」が、ショートステイ後のＵＥの転送先であるセル（セルＩＤに転送）となるように意味的記述を更新する。
【００４０】
或いは、メッセージを使用できる一般的な文脈に対応するように既存のＩＥ名を変更することもできる。
【００４１】
さらに、これらの再解釈した情報要素に加え、ハンドオーバレポートメッセージ内で新たな任意の情報要素を使用して、レポートするショートステイイベントに関する追加情報を提供し、受信側セルがこのショートステイイベント処理を改善するために有用なものとすることもできる。これらの追加情報は、例えば以下を含むことができる。
・  ＵＥがセルＢに滞在した時間、
・  ＵＥがセルＢによるサービスを受けた際にＵＥに使用した識別符号（例えば、Ｃ−ＲＮＴＩ）、
・  ＵＥがセルＡによるサービスを受けた際にＵＥに使用した識別符号（例えば、Ｃ−ＲＮＴＩ）、
・  ＨＯ条件（任意）
○  「ショートステイセルＩＤ」により識別されるセルにＵＥが到着した際のＵＥの測定結果（利用可能であれば位置情報を含む）、この変形実装例では、「障害セルＥＣＧＩ」という情報要素が「ショートステイセルＩＤ」の値を保持する。
・  そのセルの測定結果
・  近傍セルの測定結果
【００４２】
ハンドオーバレポートメッセージを使用してセルＡにショートステイイベントを通知する別の選択肢は、例えば、ＵＥ履歴情報に関して上述したものと同じ情報を情報要素「ショートステイ検出」と組み合わせて情報要素「｛レポート済み、レポートなし｝（ＥＮＵＭ）」を除いたもの含む「ショートステイ情報」（又は「高速ハンドオーバ情報」）などの、条件付きで使用される新たな情報要素を定義することである。ハンドオーバレポートタイプ「ショートステイ」（又は「高速ハンドオーバ」）の存在は、ハンドオーバレポートメッセージを受け取るｅノードＢに対し、タイプ「早すぎるＨＯ」、「誤ったセルへのＨＯ」に関連する他の情報要素の内容を無視する必要があることを示す。
【００４３】
上記の高速ハンドオーバをレポートするための情報の設定は、制御装置２０の処理リソース２１及びメモリリソース２２によって行うことができる。
【００４４】
図３は、本発明の第２の実装例を示す実施形態による、ショートステイ／高速ハンドオーバを検出してレポートする手順を示すシグナリング図である。この第２の実装例では、セルＣがセルＡに高速ハンドオーバを通知する。
【００４５】
ステップＳ３１において、ＵＥのセルＡからセルＢへの第１のハンドオーバが正常に完了する。ステップ３２において、セルＢは、ＵＥがセルＡから到着した直後に新たなターゲットセルＣにハンドオーバされたこと（ステップＳ３３）を検出する。すなわち、ここでも上述したようにセルＢにおいて問題の検出が行われ、ステップＳ３３において、「レポートなし」というフラグを有する上記で示したようなＵＥ履歴情報でセルＣに「ショートステイ検出」ＩＥが通知される。或いは、セルＢにおいてショートステイを検出したもののレポートを行っていない旨をセルＣに示す情報を含む新たなメッセージをセルＢからセルＣに送信することもできる（ステップＳ３４）。セル固有の閾値ＴＨＲＥＳ＿ＳＨＯＲＴ＿ＳＴＡＹがセルＢ及びＣにおいて異なり得る場合、「最後に訪問したセル情報」の一部としてレポートされる「セルにおけるＵＥの滞在時間」が、セルＣにおける問題を検出するのに十分でない場合がある。従って、ＵＥ履歴情報又は新たなメッセージ内で「ショートステイ検出」というＩＥを使用する。このＵＥ履歴情報又は新たなメッセージは、メモリリソース２２を使用して、制御装置２０の処理リソース２１により設定／生成することができる。ステップＳ３３及びＳ３４におけるメッセージは、Ｘ２インターフェイスを含むことができるインターフェイス２３及び３３、及びリンク４２を使用して送信することができる。
【００４６】
ＵＥの第２の「高速」ハンドオーバがセルＡに戻るピンポンの場合にも、同じ方法を適用することができる。この方法は、セルＢ及びＡにおけるセル固有の閾値がＴＨＲＥＳ＿ＳＨＯＲＴ＿ＳＴＡＹの場合の適切なピンポン検出を保証する。
【００４７】
セルＣは、ＩＥ「ショートステイ検出」を含むＵＥ履歴情報に基づいて、ステップ３５においてショートステイ又は高速ハンドオーバを認識する。この検出は、制御装置３０の処理リソース３１及びメモリリソース３２によって行うことができる。
【００４８】
ステップＳ３６において、セルＣは、Ｘ２インターフェイス又はＳ１インターフェイスを含むことができるインターフェイス３３及び１３、及びリンク４３などを使用して、セルＡにショートステイ／高速ハンドオーバを通知する。セルＡとセルＣの間にＸ２インターフェイスが存在する場合には、セルＣは、この情報を上記と同様に解釈してハンドオーバレポートメッセージを送信することも、又は上述したようなショートステイを示す新たなメッセージを送信することもできる。このハンドオーバレポートメッセージ又は新たなメッセージの準備は、制御装置３０の処理リソース３１及びメモリリソース３２によって行うことができる。
【００４９】
ステップＳ３７において、セルＡは、ステップＳ２５に関して上述したようにショートステイ問題を認識する。
【００５０】
本発明の実施形態によれば、ユーザ装置のショートステイに責任のあるセルにこのショートステイを通知し、ＭＲＯのＲＣＡ段階中に、この責任あるセル内の対応するＰＭカウンタを増分することができる。従って、ＭＲＯの修正段階においてショートステイ問題を考慮することができ、ＨＯをトリガする測定パラメータを、このショートステイ問題を軽減するように調整することができる。
【００５１】
第１の実装例で説明したようなセルＢからセルＡへのショートステイのレポート送信及びセルＡによるショートステイの識別は、たとえセルの個別のショートステイ閾値が適用されるピンポンの場合であっても採用することができる。
【００５２】
本発明の態様によれば、例えば図１の制御装置２０及び／又は制御装置３０を含む装置が、セルラー通信ネットワークの第１のセル（図２及び図３のセルＡ）から第２のセルへのユーザ装置の第１のハンドオーバが正常に完了した直後に、セルラー通信ネットワークの第２のセル（図２及び図３のセルＢなど）から第３のセル（図２及び図３のセルＣなど）へのユーザ装置の第２のハンドオーバを正常に完了させるための第１の手段と、第１のハンドオーバの正常な完了時点からの構成可能な時間内に第２のセルから第３のセルへのユーザ装置の第２のハンドオーバが開始されたことの検出に基づいて、この第２のハンドオーバを第２のセル及び／又は第３のセルにおける高速ハンドオーバであると判断するための第２の手段と、この高速ハンドオーバを第１のセルにレポートするための第３の手段とを含む。第１、第２及び第３の手段は、処理リソース２１、３１、メモリリソース２２、３２及びインターフェイス２３、３３によって実現することができる。
【００５３】
制御装置２０などの装置は、高速ハンドオーバを検出するための第４の手段と、第１のセルと第２のセルの間のインターフェイスを使用することによって高速ハンドオーバを第１のセルにレポートするための第３の手段とを含むことができる。第４の手段は、処理リソース２１、メモリリソース２２及びインターフェイス２３によって実現することができる。或いは、制御装置３０などの装置が、第１のセルと第３のセルの間のインターフェイスを使用することによって高速ハンドオーバを第１のセルにレポートするための第３の手段を含むこともできる。
【００５４】
上述したインターフェイスは、Ｘ２インターフェイス及びＳ１インターフェイスの少なくとも一方を含むことができる。
【００５５】
制御装置２０及び／又は制御装置３０などの装置は、高速ハンドオーバをレポートするために、高速ハンドオーバを第１のセルにレポートするために導入するメッセージを準備するための、及び／又は高速ハンドオーバを第１のセルにレポートするための特定のハンドオーバレポートメッセージを準備するための第５の手段を含むことができる。第５の手段は、処理リソース２１、３１、メモリリソース２２、３２及びインターフェイス２３、３３によって実現することができる。
【００５６】
この装置は、特定のハンドオーバレポートメッセージを準備するために、特定のハンドオーバレポートメッセージに導入するハンドオーバレポートタイプを、高速ハンドオーバを識別するように設定するための第６の手段を含むことができる。
【００５７】
さらに、この装置は、高速ハンドオーバを第１のセルにレポートするために使用する特定のハンドオーバレポートメッセージ内の特定の情報要素において、障害セル及び再設定セルを識別する名称変更された特定の情報要素を、第２のセルを障害セルとして、及び第３のセルを再設定セルとして識別するように設定するための第７の手段を含むことができる。
【００５８】
或いは、この装置は、高速ハンドオーバを第１のセルにレポートするために使用する特定のハンドオーバレポートメッセージ内の特定の情報要素において、障害セル及び再設定セルを識別する、意味的記述を拡張した特定の情報要素を、第２のセルを障害セルとして、及び第３のセルを再設定セルとして識別するように設定するための第８の手段を含むことができる。
【００５９】
或いは、この装置は、特定のハンドオーバレポートメッセージに導入された情報要素を、第２のセル及び第３のセルを識別するように設定するための第９の手段を含むことができる。
【００６０】
第６〜第９の手段は、処理リソース２１、３１、メモリリソース２２、３２及びインターフェイス２３、３３によって実現することができる。
【００６１】
制御装置２０などの装置は、第２のセルから第３のセルに発行される第２のハンドオーバのためのハンドオーバ要求に導入する情報要素を、第２のセルにより検出された高速ハンドオーバを示すように設定するための、又は第２のセルにより検出された高速ハンドオーバを第３のセルに通知するために導入するメッセージを準備して、このメッセージを第３のセルに送信するための第１０の手段をさらに含むことができる。第１０の手段は、処理リソース２１、メモリリソース２２及びインターフェイス２３によって実現することができる。
【００６２】
この装置は、高速ハンドオーバが第１のセルにレポートされたかどうかを示す情報を情報要素内に設定するための、又は高速ハンドオーバが第１のセルにレポートされたかどうかを示すためのメッセージを準備するための第１１の手段をさらに含むことができる。第１１の手段は、処理リソース２１、メモリリソース２２及びインターフェイス２３によって実現することができる。
【００６３】
さらに、制御装置３０などの装置は、第２のハンドオーバのためのハンドオーバ要求に導入された情報要素から高速ハンドオーバを判断するための、又は準備されたメッセージから高速ハンドオーバを判断するための第２の手段を含むことができる。
【００６４】
さらに、この装置は、情報要素内の設定された情報から、又は準備されたメッセージから、高速ハンドオーバが第１のセルにレポートされたかどうかを判断するための第１２の手段と、これらの情報又は準備されたメッセージが、高速ハンドオーバが第１のセルにレポートされなかった旨を示す場合、高速ハンドオーバを第１のセルにレポートするための第３の手段を含むことができる。第１２の手段は、処理リソース３１、メモリリソース３２及びインターフェイス３３によって実現することができる。
【００６５】
高速ハンドオーバの検出及びレポートを示す情報要素は、ユーザ装置の履歴情報の一部とすることができる。
【００６６】
本発明の態様によれば、図１に示す制御装置１０などを含む装置が、高速ハンドオーバを識別するメッセージを第１のセルにおいて受け取るための手段と、高速ハンドオーバを分析するように設定された主要性能インジケータに関連する性能管理カウンタを増分するための手段とを含む。これらの受け取るための手段及び増分するための手段は、処理手段１１、メモリ手段１２及びインターフェイス１３によって実現することができる。
【００６７】
上記の説明は、本発明を例示するものであり、本発明を限定するものとして解釈すべきではないと理解されたい。当業者には、添付の特許請求の範囲により定義される本発明の真の思想及び範囲から逸脱することなく様々な修正及び適用が浮かぶであろう。
【符号の説明】
【００６８】
Ｓ２１  ＵＥの第１のＨＯ
Ｓ２２  ショートステイを検出
Ｓ２３  ＵＥの第２のＨＯ、「ショートステイ検出及びレポート済み」情報（任意）
Ｓ２４  ショートステイを通知
Ｓ２５  ショートステイ問題を認識
Ｓ２６  ショートステイ検出及びレポート済みを通知（代案、任意）
Ｓ２７  ショートステイレポート済みを認識（任意）
【図１】
2014525215.tif 000003
【図２】
2014525215.tif 000004
【図３】
2014525215.tif 000005
【手続補正書】
【提出日】平成26年2月10日(2014.2.10)
【手続補正１】
【補正対象書類名】特許請求の範囲
【補正対象項目名】全文
【補正方法】変更
【補正の内容】
【特許請求の範囲】
【請求項１】
セルラー通信ネットワークの第１のセルから第２のセルへのユーザ装置の第１のハンドオーバが正常に完了した直後に、前記セルラー通信ネットワークの前記第２のセルから第３のセルへのユーザ装置の第２のハンドオーバを正常に完了させるステップと、
前記第１のハンドオーバの正常な完了時点から構成可能な時間内に前記第２のセルから前記第３のセルへの前記ユーザ装置の第２のハンドオーバが開始されたことの検出に基づいて、前記第２のハンドオーバが、前記第２のセル及び／又は前記第３のセルにおける高速ハンドオーバであると判断するステップと、
前記高速ハンドオーバを前記第１のセルにレポートするステップと、
を含むことを特徴とする方法。
【請求項２】
前記第２のセルは、前記高速ハンドオーバを検出して、前記第１のセルと前記第２のセルの間のインターフェイスを使用することにより前記高速ハンドオーバを前記第１のセルにレポートし、或いは前記第３のセルが、前記第１のセルと前記第３のセルの間のインターフェイスを使用することにより前記高速ハンドオーバを前記第１のセルにレポートする、
ことを特徴とする請求項１に記載の方法。
【請求項３】
前記インターフェイスは、Ｘ２インターフェイス及びＳ１インターフェイスの少なくとも一方を含む、
ことを特徴とする請求項２に記載の方法。
【請求項４】
前記レポートするステップは、
前記高速ハンドオーバを前記第１のセルにレポートするために導入するメッセージを準備するステップ、及び／又は、
前記高速ハンドオーバを前記第１のセルにレポートするための特定のハンドオーバレポートメッセージを準備するステップ、
を含むことを特徴とする請求項１に記載の方法。
【請求項５】
前記特定のハンドオーバレポートメッセージを準備するステップは、前記特定のハンドオーバレポートメッセージに導入するハンドオーバレポートタイプを、前記高速ハンドオーバを識別するように設定するステップを含む、
ことを特徴とする請求項４に記載の方法。
【請求項６】
前記特定のハンドオーバレポートを準備するステップは、前記高速ハンドオーバを前記第１のセルにレポートするために使用する前記特定のハンドオーバレポートメッセージ内の、障害セル及び再設定セルを識別する名称変更された特定の情報要素において、該特定の情報要素を、前記第２のセルを前記障害セルとして、及び前記第３のセルを前記再設定セルとして識別するように設定するステップを含む、
ことを特徴とする請求項４に記載の方法。
【請求項７】
前記特定のハンドオーバレポートを準備するステップは、前記高速ハンドオーバを前記第１のセルにレポートするために使用する前記特定のハンドオーバレポートメッセージ内の、障害セル及び再設定セルを識別する、意味的記述を拡張した特定の情報要素において、該特定の情報要素を、前記第２のセルを前記障害セルとして、及び前記第３のセルを前記再設定セルとして識別するように設定するステップを含む、
ことを特徴とする請求項４に記載の方法。
【請求項８】
前記特定のハンドオーバレポートメッセージを準備するステップは、前記特定のハンドオーバレポートメッセージに導入する情報要素を、前記第２のセル及び前記第３のセルを識別するように設定するステップを含む、
ことを特徴とする請求項４に記載の方法。
【請求項９】
前記第２のセルから前記第３のセルに発行される前記第２のハンドオーバのためのハンドオーバ要求に導入する情報要素を、前記第２のセルにより検出された高速ハンドオーバを示すように設定するステップ、又は、
前記第２のセルにより検出された高速ハンドオーバを前記第３のセルに通知するために導入するメッセージを準備し、該メッセージを前記第３のセルに送信するステップ、
を含むことを特徴とする請求項１に記載の方法。
【請求項１０】
前記情報要素は、前記高速ハンドオーバが前記第１のセルにレポートされたかどうかを示す情報を含み、或いは前記メッセージが、前記高速ハンドオーバが前記第１のセルにレポートされたどうかをさらに示す、
ことを特徴とする請求項９に記載の方法。
【請求項１１】
前記高速ハンドオーバの検出及びレポートを示す前記情報要素は、前記ユーザ装置の履歴情報の一部である、
ことを特徴とする請求項９に記載の方法。
【請求項１２】
前記情報又は前記メッセージが、前記高速ハンドオーバが前記第１のセルにレポートされていない旨を示す場合、前記第３のセルが、前記高速ハンドオーバを前記第１のセルにレポートする、
ことを特徴とする請求項１０に記載の方法。
【請求項１３】
セルラー通信ネットワークの第１のセルから第２のセルへのユーザ装置の第１のハンドオーバが正常に完了した直後に、前記セルラー通信ネットワークの前記第２のセルから第３のセルへの前記ユーザ装置の高速ハンドオーバを識別するメッセージを前記第１のセルにおいて受け取るステップと、
高速ハンドオーバを分析するように設定された主要性能インジケータに関連する性能管理カウンタを増分するステップと、
を含むことを特徴とする方法。
【請求項１４】
処理装置のためのプログラムを含むコンピュータプログラム製品であって、前記プログラムは、前記処理装置上で実行された時に請求項１から１３のいずれか１項に記載のステップを実行するためのソフトウェアコード部分を含む、
ことを特徴とするコンピュータプログラム製品。
【請求項１５】
セルラー通信ネットワークの第１のセルから第２のセルへのユーザ装置の第１のハンドオーバが正常に完了した直後に、前記セルラー通信ネットワークの前記第２のセルから第３のセルへの前記ユーザ装置の第２のハンドオーバを正常に完了させ、
前記第１のハンドオーバの正常な完了時点から構成可能な時間内に前記第２のセルから前記第３のセルへの前記ユーザ装置の第２のハンドオーバが開始されたことの検出に基づいて、前記第２のハンドオーバが、前記第２のセル及び／又は前記第３のセルにおける高速ハンドオーバであると判断し、
前記高速ハンドオーバを前記第１のセルにレポートする、
ように構成されることを特徴とする制御装置。
【請求項１６】
前記第２のセルにおける前記高速ハンドオーバを検出して、前記第１のセルと前記第２のセルの間のインターフェイスを使用することにより前記高速ハンドオーバを前記第１のセルにレポートし、又は、
前記第３のセルにおける前記高速ハンドオーバを判断して、前記第１のセルと前記第３のセルの間のインターフェイスを使用することにより前記高速ハンドオーバを前記第１のセルにレポートする、
ように構成されることを特徴とする請求項１５に記載の制御装置。
【請求項１７】
前記制御装置は、前記高速ハンドオーバメッセージをレポートするために、
前記高速ハンドオーバを前記第１のセルにレポートするために導入するメッセージを準備し、及び／又は、
前記高速ハンドオーバを前記第１のセルにレポートするための特定のハンドオーバレポートメッセージを準備する、
ように構成されることを特徴とする請求項１５に記載の制御装置。
【請求項１８】
前記制御装置は、前記特定のハンドオーバレポートメッセージを準備するために、前記特定のハンドオーバレポートメッセージに導入するハンドオーバレポートタイプを、前記高速ハンドオーバを識別するように設定するよう構成される、
ことを特徴とする請求項１７に記載の制御装置。
【請求項１９】
前記制御装置は、前記特定のハンドオーバレポートメッセージを準備するために、前記高速ハンドオーバを前記第１のセルにレポートするために使用する前記特定のハンドオーバレポートメッセージ内の、障害セル及び再設定セルを識別する名称変更された特定の情報要素において、該特定の情報要素を、前記第２のセルを前記障害セルとして、及び前記第３のセルを前記再設定セルとして識別するように設定するよう構成される、
ことを特徴とする請求項１７に記載の制御装置。
【請求項２０】
セルラー通信ネットワークの第１のセルから第２のセルへのユーザ装置の第１のハンドオーバが正常に完了した直後に、前記第１のセルにおいて、前記セルラー通信ネットワークの前記第２のセルから第３のセルへの前記ユーザ装置の高速ハンドオーバを識別するメッセージを受け取り、
高速ハンドオーバを分析するように設定された主要性能インジケータに関連する性能管理カウンタを増分する、
ように構成されることを特徴とする制御装置。
【手続補正２】
【補正対象書類名】明細書
【補正対象項目名】００１７
【補正方法】変更
【補正の内容】
【００１７】
さらに、ショートステイタイミング基準などのＭＲＯ閾値をセルが個別に有する場合にも、本発明を用いてピンポン問題を改善することができる。
方法は、セルラー通信ネットワークの第１のセルから第２のセルへのユーザ装置の第１のハンドオーバが正常に完了した直後に、セルラー通信ネットワークの第２のセルから第３のセルへのユーザ装置の第２のハンドオーバを正常に完了させるステップと、第１のハンドオーバの正常な完了時点から構成可能な時間内に第２のセルから第３のセルへのユーザ装置の第２のハンドオーバが開始されたことの検出に基づいて、第２のハンドオーバが、第２のセル及び／又は第３のセルにおける高速ハンドオーバであると判断するステップと、この高速ハンドオーバを第１のセルにレポートするステップとを含むことができる。
第２のセルは、高速ハンドオーバを検出して、第１のセルと第２のセルの間のインターフェイスを使用することにより高速ハンドオーバを第１のセルにレポートすることができ、或いは第３のセルが、第１のセルと第３のセルの間のインターフェイスを使用することにより高速ハンドオーバを第１のセルにレポートすることができる。
インターフェイスは、Ｘ２インターフェイス及びＳ１インターフェイスの少なくとも一方を含むことができる。
レポートするステップは、高速ハンドオーバを第１のセルにレポートするために導入するメッセージを準備するステップ、及び／又は高速ハンドオーバを第１のセルにレポートするための特定のハンドオーバレポートメッセージを準備するステップを含むことができる。
特定のハンドオーバレポートメッセージを準備するステップは、特定のハンドオーバレポートメッセージに導入するハンドオーバレポートタイプを、高速ハンドオーバを識別するように設定するステップを含むことができる。
特定のハンドオーバレポートを準備するステップは、高速ハンドオーバを第１のセルにレポートするために使用する特定のハンドオーバレポートメッセージ内の、障害セル及び再設定セルを識別する名称変更された特定の情報要素において、この特定の情報要素を、第２のセルを障害セルとして、及び第３のセルを再設定セルとして識別するように設定するステップをさらに含むことができる。
特定のハンドオーバレポートを準備するステップは、高速ハンドオーバを第１のセルにレポートするために使用する特定のハンドオーバレポートメッセージ内の、障害セル及び再設定セルを識別する、意味的記述を拡張した特定の情報要素において、この特定の情報要素を、第２のセルを障害セルとして、及び第３のセルを再設定セルとして識別するように設定するステップをさらに含むことができる。
特定のハンドオーバレポートメッセージを準備するステップは、特定のハンドオーバレポートメッセージに導入する情報要素を、第２のセル及び第３のセルを識別するように設定するステップをさらに含むことができる。
方法は、第２のセルから第３のセルに発行される第２のハンドオーバのためのハンドオーバ要求に導入する情報要素を、第２のセルにより検出された高速ハンドオーバを示すように設定するステップ、又は第２のセルにより検出された高速ハンドオーバを第３のセルに通知するために導入するメッセージを準備し、このメッセージを第３のセルに送信するステップをさらに含むことができる。
情報要素は、高速ハンドオーバが第１のセルにレポートされたかどうかを示す情報を含むことができ、或いはメッセージが、高速ハンドオーバが第１のセルにレポートされたどうかをさらに示す。
高速ハンドオーバの検出及びレポートを示す情報要素は、ユーザ装置の履歴情報の一部とすることができる。
情報又はメッセージが、高速ハンドオーバが第１のセルにレポートされていない旨を示す場合、第３のセルが、高速ハンドオーバを第１のセルにレポートすることができる。
本発明の第２の態様では、セルラー通信ネットワークの第１のセルから第２のセルへのユーザ装置の第１のハンドオーバが正常に完了した直後に、セルラー通信ネットワークの第２のセルから第３のセルへのユーザ装置の高速ハンドオーバを識別するメッセージを第１のセルにおいて受け取るステップと、高速ハンドオーバを分析するように設定された主要性能インジケータに関連する性能管理カウンタを増分するステップとを含む方法を提供する。
本発明の第３の態様では、処理装置のためのプログラムを含み、このプログラムが、処理装置上で実行された時に、本発明の第１又は第２の態様による方法のステップを実行するためのソフトウェアコード部分を含むコンピュータプログラム製品を提供する。
このコンピュータプログラム製品は、ソフトウェアコード部分を記憶するコンピュータ可読媒体を含むことができる。
このプログラムは、処理デバイスの内部メモリに直接ロードすることができる。
本発明の第４の態様では、セルラー通信ネットワークの第１のセルから第２のセルへのユーザ装置の第１のハンドオーバが正常に完了した直後に、セルラー通信ネットワークの第２のセルから第３のセルへのユーザ装置の第２のハンドオーバを正常に完了させ、第１のハンドオーバの正常な完了時点から構成可能な時間内に第２のセルから第３のセルへのユーザ装置の第２のハンドオーバが開始されたことの検出に基づいて、第２のハンドオーバが、第２のセル及び／又は第３のセルにおける高速ハンドオーバであると判断し、この高速ハンドオーバを第１のセルにレポートするように構成された装置又は制御装置を提供する。
制御装置は、第２のセルにおける高速ハンドオーバを検出して、第１のセルと第２のセルの間のインターフェイスを使用することにより高速ハンドオーバを第１のセルにレポートするよう構成することができる。
制御装置は、第３のセルにおける高速ハンドオーバを判断して、第１のセルと第３のセルの間のインターフェイスを使用することにより高速ハンドオーバを第１のセルにレポートするように構成することもできる。
本インターフェイスは、Ｘ２インターフェイス及びＳ１インターフェイスの少なくとも一方を含むことができる。
制御装置は、高速ハンドオーバメッセージをレポートするために、高速ハンドオーバを第１のセルにレポートするために導入するメッセージを準備し、及び／又は高速ハンドオーバを第１のセルにレポートするための特定のハンドオーバレポートメッセージを準備するように構成することができる。
制御装置は、特定のハンドオーバレポートメッセージを準備するために、特定のハンドオーバレポートメッセージに導入するハンドオーバレポートタイプを、高速ハンドオーバを識別するように設定するよう構成することができる。
制御装置は、特定のハンドオーバレポートメッセージを準備するために、高速ハンドオーバを第１のセルにレポートするために使用する特定のハンドオーバレポートメッセージ内の、障害セル及び再設定セルを識別する名称変更された特定の情報要素において、この特定の情報要素を、第２のセルを障害セルとして、及び第３のセルを再設定セルとして識別するように設定するよう構成することができる。
制御装置は、特定のハンドオーバレポートメッセージを準備するために、高速ハンドオーバを第１のセルにレポートするために使用する特定のハンドオーバレポートメッセージ内の、障害セル及び再設定セルを識別する、意味的記述を拡張した特定の情報要素において、この特定の情報要素を、第２のセルを障害セルとして、及び第３のセルを再設定セルとして識別するように設定するよう構成することができる。
制御装置は、特定のハンドオーバレポートメッセージを準備するために、特定のハンドオーバレポートメッセージに導入する情報要素を、第２のセル及び第３のセルを識別するように設定するよう構成することができる。
制御装置は、第２のセルから第３のセルに発行される第２のハンドオーバのためのハンドオーバ要求に導入する情報要素を、第２のセルにより検出された高速ハンドオーバを示すように設定するように、又は第２のセルにより検出された高速ハンドオーバを第３のセルに通知するために導入するメッセージを準備し、このメッセージを第３のセルに送信するようにさらに構成することができる。
制御装置は、高速ハンドオーバが第１のセルにレポートされたかどうかを示す情報を情報要素内に設定するように、或いは高速ハンドオーバが第１のセルにレポートされたかどうかをメッセージで示すようにさらに構成することができる。
制御装置は、第２のセルから第３のセルに発行される第２のハンドオーバのためのハンドオーバ要求に導入された、第２のセルにより検出された高速ハンドオーバを示すようにハンドオーバ要求内に設定されている情報要素から高速ハンドオーバを判断するように、又は第２のセルにより検出された高速ハンドオーバを第３のセルに通知するために導入され第２のセルから受け取られた準備されたメッセージから高速ハンドオーバを判断するようにさらに構成することができる。
制御装置は、情報要素内に設定された、高速ハンドオーバが第１のセルにレポートされたかどうかを示す情報から、又は準備されたメッセージから、高速ハンドオーバが第１のセルにレポートされたかどうかを判断し、これらの情報又は準備されたメッセージが、高速ハンドオーバが第１のセルにレポートされていない旨を示す場合、高速ハンドオーバを第１のセルにレポートするようにさらに構成することができる。
高速ハンドオーバの検出及びレポートを示す情報要素は、ユーザ装置の履歴情報の一部とすることができる。
本発明の第５の態様では、セルラー通信ネットワークの第１のセルから第２のセルへのユーザ装置の第１のハンドオーバが正常に完了した直後に、セルラー通信ネットワークの第２のセルから第３のセルへのユーザ装置の高速ハンドオーバを識別するメッセージを第１のセルにおいて受け取り、高速ハンドオーバを分析するように設定された主要性能インジケータに関連する性能管理カウンタを増分するように構成された装置又は制御装置を提供する。
【国際調査報告】
2014525215.tif 000006
2014525215.tif 000007
2014525215.tif 000008